(57)【特許請求の範囲】
【請求項１】
一枚の箱体形成片から成り、この箱体形成片には、互いに平行に連接された側面と、前記側面同士を糊付けして筒体に組み立てる糊付け片と、筒体の下端部の開口を閉鎖する底片と、前記側面の１つの上端部に折罫線を介して連接され、前記折り罫線により屈曲された状態で、対向する他の前記側面に重ねられた重ね片と、前記重ね片の両端部に折罫線を介して設けられ、隣接する一対の前記側面に重ねられた係止片が設けられ、
前記重ね片が設けられている前記側面に隣接する前記一対の各側面には、上端部の中心から両側縁部に広がる一対の傾斜折罫線に挟まれた斜面部が設けられ、前記一対の傾斜折罫線の途中には各々スリットが設けられ、
前記係止片には、前記スリットに差し込まれるロック片が各々形成され、
組立状態で、前記一対の側面の前記斜面部が前記筒体の内側に位置し、前記係止片の前記ロック片が前記スリットに差し込まれて成ることを特徴とする包装用箱。
【請求項２】
前記係止片には、前記スリットに差し込まれる一対のロック片が各々設けられ、
前記一対の側面の前記斜面部は、前記筒体の内側に位置して、前記筒体上部が三角形状に形成されている請求項１記載の包装用箱。
【請求項３】
前記ロック片は、コの字型の切込線で囲まれて設けられている請求項１又は２記載の包装用箱。
【請求項４】
前記斜面部は、前記一対の傾斜折罫線とその下端部同士を連結する折罫線とで囲まれた部分である請求項１記載の包装用箱。
【発明の詳細な説明】
【技術分野】
【０００１】
この発明は、箱体形成片と一体に、封止用の係止片が設けられている包装用箱に関する。
【背景技術】
【０００２】
従来、商品を収容して店頭に陳列する包装用箱には、一枚のブランクシートから一体的に打ち抜かれた箱体形成片を組み立てたものがあり、４つの側面が連接して設けられて筒体に組み立てられ、側面の一方の端部には底部が形成され、他方の端部には蓋部が設けられ、開口を閉鎖している。このような包装用箱には、いろいろな形状がある。
【０００３】
例えば、特許文献１に開示されている三角形トップオープンカートンは、底面と４つの側面が設けられ、互いに対向する一対の側面の上端部に、三角形に折り畳まれるＶ字形の切欠部が設けられている。他の一側面の上端部にフラップ片が設けられ、フラップ片の先端に差込片が設けられている。残りの一側面には、フラップ片の差込片を係止する切り込み線が設けられている。この三角形トップオープンカートンを閉じる時は、一対の側面を三角形に折り畳んだ状態で、フラップ片を切り込み線が設けられた側面に重ね、フラップ片の先端の差込片を切り込み線に差し込んで係止する。
【先行技術文献】
【特許文献】
【０００４】
【特許文献１】実用新案登録第３０８３９３５号公報
【発明の概要】
【発明が解決しようとする課題】
【０００５】
上記背景技術の場合、一対の側面の上端部に、三角形に折り畳まれるＶ字形の切欠部が設けられているため、埃等の異物が入りやすいものであり、また開封する途中や外部から強い力が加えられたとき切欠部が開いて内容物が見えるという問題があった。さらに、この構造の封緘は、1つの差込片が切り込み線に係合されて封緘しているので、強度が弱く、差込片や切り込み線の周囲が破損しやすいという問題もあった。確実な封緘には封緘テープ等の別部材を必要とし、改ざん防止には、改ざん防止用のテープによる封緘が必要であった。
【０００６】
この発明は、上記背景技術の問題点に鑑みてなされたものであり、組立が簡単で外観が良好であり、容易かつ確実に封止可能な包装用箱を提供することを目的とする。
【課題を解決するための手段】
【０００７】
この発明は、一枚のブランクシートから一体的に打ち抜かれた箱体形成片から成り、この箱体形成片には、互いに平行に連接された側面と、前記側面同士を糊付けして筒体に組み立てる糊付け片と、筒体の下端部の開口を閉鎖する底片と、前記側面の１つの上端部に折罫線を介して連接され組立状態で対向する前記側面に重ねられる重ね片と、前記重ね片の両端部に折罫線を介して設けられ組立状態で隣接する前記一対の側面に重ねられる係止片が設けられ、前記重ね片が設けられている前記側面に隣接する前記一対の各側面には、上端部の中心から両側縁部に広がる一対の傾斜折罫線に挟まれた斜面部が設けられ、前記一対の傾斜折罫線の途中には各々スリットが設けられ、前記係止片には、前記スリットに差し込まれるロック片が各々形成され、前記一対の側面の前記斜面部が前記筒体の内側に押し込まれるとともに、他の一対の側面の上端部同士が互いに近接され、前記重ね片が対向する前記側面の表面に重ねられ、前記一対の係止片は前記斜面部に取り付けられ、前記係止片の前記ロック片が前記スリットに差し込まれてロックされる包装用箱である。
【０００８】
前記係止片には、前記斜面部の前記傾斜折罫線に対向する一対の係止折罫線が設けられ、前記一対の係止折罫線の途中には切込線が形成されて前記スリットに差し込まれる一対のロック片が各々設けられ、前記一対の側面の前記斜面部は、前記筒体の内側に押し込まれて前記筒体上部が三角形状に形成され、前記係止折罫線が折り曲げられて前記三角形状の前記斜面部に隙間なく取り付けられるものである。
【０００９】
前記スリットと前記ロック片は、前記各折罫線に設けられたコの字型の切込線で囲まれて設けられ、前記折罫線を折り曲げたときに前記切込線が開かれて、各々前記スリットと前記ロック片が形成されるものである。
【００１０】
前記斜面部は、前記一対の傾斜折罫線とその下端部同士を連結する折罫線とで囲まれた部分である。
【発明の効果】
【００１１】
この発明の包装用箱は、組立が簡単で、ケース上部に斜面が形成されたすっきりとした外観であり、組み立てや封止作業も容易に行うことができる。さらに、封止した後は容易に開くことがなく、開ける際には強い力が必要であり、強い力を加えると確実に跡が残り高い改ざん防止効果も有する。
【図面の簡単な説明】
【００１２】
【図１】この発明の一実施形態の包装用箱の封止した状態を示す斜視図である。
【図２】この実施形態の包装用箱の封止前又は開封した状態を示す斜視図である。
【図３】この実施形態の包装用箱の展開図である。
【図４】この発明の他の実施形態の包装用箱の封止前又は開封した状態を示す斜視図である。
【図５】この実施形態の包装用箱の封止した状態を示す斜視図である。
【発明を実施するための形態】
【００１３】
以下、この発明の実施形態について図面に基づいて説明する。図１〜図３はこの発明の一実施形態を示すもので、この実施形態の包装用箱１０は、紙製等の一枚のブランクシートを打ち抜いて形成された箱体形成片１２を組み立てて設けられている。
【００１４】
図３は、箱体形成片１２を表面から見た展開図であり、箱体形成片１２は、側面１４，１６，１８，２０が、互いに平行に連接して形成され、側面１４，１６，１８，２０は、連接している幅方向は同じ長さであり、連接方向の長さは、側面１６，２０が長くて互いにほぼ等しく、側面１４，１８が幅が狭くて互いにほぼ等しい。側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１５】
側面１４において、側面同士の連接方向に対して直角な方向の一方の上端部１４ａは、２つの円弧状端部が並んで形成され、中心が２つの円弧の境界であり、くぼんでいる。上端部１４ａのくぼんだ中心から、傾斜折罫線３２，３４が連続して形成されている。傾斜折罫線３２は、上端部１４ａのくぼんだ中心と、折罫線２４の中間付近を結ぶ直線であり、円弧の仮想円の半径に一致している。傾斜折罫線３２の途中には、コの字形に形成された切込線３３が設けられ、切込線３３の中心部分が折罫線２４側へ突出している。傾斜折罫線３４は、上端部１４ａのくぼんだ中心と、折罫線２６の中間付近を結ぶ直線であり、傾斜折罫線３４の途中には、コの字形に形成された切込線３５が設けられ、切込線３５の中心部分が折罫線２６側へ突出している。切込線３３，３５は、包装用箱１０の組立状態で傾斜折罫線３２，３４が折り曲げられる際に開かれて、後述するスリット１００が形成される。傾斜折罫線３２，３４の下端部には、下端部同士を連結する曲線折罫線３６が設けられている。曲線折罫線３６は、下方に凸となる円弧状の曲線であり、傾斜折罫線３２，３４よりもやや小さい半径に形成されている。これにより、傾斜折罫線３２，３４、曲線折罫線３６で囲まれた斜面部３７が形成される。側面１４の、上端部１４ａと反対側の端部には、台形状のフラップ３８が折罫線４０で区切られて設けられている。
【００１６】
側面１６の、側面１４の上端部１４ａに隣接する端部には、矩形の重ね片４２が設けられている。重ね片４２と側面１６の間に、幅が狭い連結片４４が設けられ、連結片４４は、側面１６とは折罫線４６で区切られ、折罫線４６と反対側は重ね片４２とは折罫線４８で区切られている。重ね片４２の、折罫線４８とは反対側の端部４２ａは、外側に膨出する円弧状の曲線に形成されている。
【００１７】
重ね片４２の折罫線２６の延長上に位置する側縁部には、係止片５０が折罫線５２で区切られて設けられている。係止片５０は矩形であり、重ね片４２の端部４２ａに連続し折罫線４８に対して平行な端部５０ａと、端部５０ａから直角に連続し折罫線５２に対して平行な端部５０ｂと、５０ｂから直角の連続し端部５０ａに対して平行な端部５０ｃと、折罫線５２で囲まれている。端部５０ａの長さは、側面１４の連接方向の幅よりもわずかに短く形成され、５０ｂの長さは端部５０ａよりもわずかに短く形成されている。端部５０ｃは、中間付近から重ね片４２に近い部分は折罫線５２と折罫線４８の交点に向かう傾斜線となっている。係止片５０には、端部５０ａと端部５０ｃを結ぶ一対の係止折罫線５４，５６が設けられている。係止折罫線５４，５６の互いの間隔は、端部５０ａで広く端部５０ｃで狭くなり、側面１４の傾斜折罫線３２，３４と、折罫線４６，４８の中間に位置する仮想直線において上下が逆の線対称形になっている。係止折罫線５４は傾斜折罫線３２の線対称形状で、切込線３３に対向する切込線５５が設けられている。係止折罫線５６は傾斜折罫線３４の線対称形状で、切込線３５に対向する切込線５７が設けられている。切込線５５，５７は、包装用箱１０の組立状態で係止折罫線５４，５６が折り曲げられる際に開かれて後述するロック片１０２が形成される。
【００１８】
重ね片４２の折罫線２８の延長上に位置する側縁部には、係止片５８が折罫線６０で区切られて設けられている。係止片５８は係止片５０と左右が逆の線対称形であり、端部５８ａ，５８ｂ，５８ｃと、折罫線６０で囲まれた矩形である。端部５８ｃは、中間付近から重ね片４２に近い部分は折罫線６０と折罫線４８の交点に向かう傾斜線となっている。係止片５８には、一対の係止折罫線６２，６４が設けられている。係止折罫線６２，６４の途中には切込線６８，７０が設けられている。切込線６８，７０は、包装用箱１０の組立状態で係止折罫線６２，６４が折り曲げられる際に開かれてロック片１０２が形成される。
【００１９】
側面１６の、折罫線４６と反対側の端部には、矩形の底片７２が折罫線７４で区切られて設けられている。折罫線７４には、底片７２の方へ凸となる台形状の切込線７６が２つ設けられ、各切込線７６の内側は、包装用箱１０を組み立てた状態で折罫線７４を９０°に折ったとき、切込線７６の内側部分は、側面１６と面一に下方へ突出する脚部７８となる。底片７２の折罫線７４と反対側の端部には、さらに差込片８０が折罫線８１で区切られて設けられている。折罫線８１の両端部には、差込片８０が側面１４のフラップ３８と後述する側面１８のフラップ９２に係止しやすいように短い切込線が設けられている。
【００２０】
側面１８は、側面１４と同じ形状であり、側面１６の折罫線４６に隣接する上端部１８ａには、２つの円弧状端部が並んで形成され、中心が２つの円弧の境界であり、くぼんでいる。上端部１８ａのくぼんだ中心から、傾斜折罫線８２，８６が連続して形成されている。傾斜折罫線８２は、上端部１８ａのくぼんだ中心と、折罫線２８の中間付近を結ぶ直線であり、円弧の仮想円の半径に一致している。傾斜折罫線８２の途中には、コの字形に形成された切込線８４が設けられ、切込線８４の中心部分が折罫線２８側へ突出している。傾斜折罫線８６は、上端部１８ａのくぼんだ中心と、折罫線３０の中間付近を結ぶ直線であり、傾斜折罫線８６の途中には、コの字形に形成された切込線８８が設けられ、切込線８８の中心部分が折罫線３０側へ突出している。切込線８４，８８は、包装用箱１０の組立状態で傾斜折罫線８２，８６が折り曲げられる際に開かれてスリット１００が形成される。傾斜折罫線８２，８６の下端部には、下端部同士を連結する曲線折罫線９０が設けられている。曲線折罫線９０は、下方に凸となる円弧状の曲線であり、傾斜折罫線８２，８６よりもやや小さい半径に形成されている。これにより、傾斜折罫線８２，８６、曲線折罫線９０で囲まれた斜面部８７が形成される。側面１８の、上端部１８ａと反対側の端部には、台形状のフラップ９２が折罫線９４で区切られて設けられている。
【００２１】
側面２０は、側面１６とほぼ同じ形状であり、側面２０の、側面１８上端部１８ａに連続する上端部２０ａは、側面１６の折罫線４６の延長線に一致し、反対の下端部２０ｂは、側面１６の切込線７６の一番突出している部分の延長線に一致している。
【００２２】
次に、この実施形態の包装用箱１０の組立方法の一例について説明する。なお、ここでは図３が包装用箱１０の箱体形成片１２の表面を見たものである。箱体形成片１２の表面が凸になる折り方を正折り、そして裏面が凸になる折り方を逆折りと称する。
【００２３】
まず、折罫線２６を正折りして糊付片２２の表面に糊９６を塗布する。次に、折罫線３０を正折りし、側面２０の裏面が糊９６により糊付片２２の表面に糊付けされる。これにより折り畳み状態となり、この状態で出荷される。
【００２４】
次に、商品を収容し包装する工場等において、折罫線２４，２６，２８，３０を各々９０°に正折りして四角形の筒体にする。折罫線４０，９４でフラップ３８，９２を９０°に正折りし、その後折罫線７４で底片７２を９０°に正折りし、差込片８０を折罫線８１で正折りし、差込片８０を側面２０の裏面側に差し込んで係止し、底部が形成され、図２に示す状態とする。このとき折罫線７４が９０°に曲げられ一対の切込線７６が開かれて脚部７８が下方に向かって突出し、脚部７８と側面２０の側面２０ｂが机や棚の上面に当接するため、包装用箱１０は安定して確実に立つ。
【００２５】
この状態で中に商品を入れ、側面１４の傾斜折罫線３２，３４と、側面１８の傾斜折罫線８２，８６を、各々逆折りしながら側面１６の折罫線４６と側面２０の上端部２０ａを付ける。このとき、側面１４，１８の曲線折罫線３６，９０は自動的に正折りされ、斜面部３７，８７は筒体の内側に押し込まれ、側面１４と側面１８はほぼ三角形状となる。このとき切込線３３，３５，８４，８８は開かれて、傾斜折罫線３２，３４，８２，８６上にスリット１００が形成される。
【００２６】
次に、折罫線４６，４８をほぼ９０°に正折りし、重ね片４２を側面２０の表面に重ねる。そして、折罫線５２を正折りして係止片５０を側面１４に重ね、係止折罫線５４，５６を逆折りして側面１４の傾斜折罫線３２，３４に沿って隙間なく取り付ける。このとき切込線５５，５７が開かれてロック片１０２が形成され、側面１４の切込線３３，３５が開かれて形成されたスリット１００に差し込まれ、ロックされる。同様に、折罫線６０を正折りして係止片５８を側面１８に重ね、係止折罫線６２，６４を逆折りして側面１８の傾斜折罫線８２，８６に沿って隙間なく取り付ける。このとき切込線６８，７０が開かれてロック片１０２が形成され、側面１８の切込線８４，８８が開かれて形成されたスリット１００に差し込まれ、ロックされる。これにより、図１に示すように商品を包装し封止した状態となる。
【００２７】
包装用箱１０を開封する時は、係止片５０の端部５０ｂまたは係止片５８の係止片５８ｂを引き起こして、ロック片１０２とスリット１００のロックを外して係止片５０，５８を側面１４，１８から開き、重ね片４２を側面２０から開く。側面１４，１８の傾斜折罫線３２，３４，８２，８６の折り角度をなくして押し込まれていた斜面部３７，８７を側面１４，１８の面一に戻し、筒体の開口縁を矩形に開き、中の収容物を取り出す。
【００２８】
この実施形態の包装用箱１０によれば、簡単な構造で組立が簡単であり、ケース上部がほぼ三角形に形成されたすっきりとした外観である。重ね片４２は、一対の係止片５０，５８のロック片１０２が側面１４，１６のスリット１００にロックされるため、確実に取り付けられ高い強度で封止することができる。開封する際に強い力が必要なため、不用意に開くことがなく安全である。開ける際には強い力が必要であり、強い力を加えるとロック片１０２やスリット１００の周辺が破損することが多く改ざんの形跡が残り、高い改ざん防止効果も有するものである。包装用箱１０は脚部７８が設けられているため、確実に机や棚の上面に立ち、整頓して陳列や保管をすることができる。
【００２９】
この実施形態の包装用箱１０は、図４、図５に示すように、係止片５０の係止折罫線５４及び切込線５５より外側の端部５０ｂを含む変形した四角形の部分はなくてもよい。同様に、係止片５８も係止折罫線６４及び切込線７０より外側の係止片５８ｂを含む変形した四角形の部分はなくてもよい。この場合、係止片５０，５８の側縁部は、上記実施形態の係止折罫線５４，６４に一致する直線の側縁部と、切込線５５，７０による形状のロック片１０２が、この実施形態の側縁部に連続して形成されているものとなる。
【００３０】
これによるとロック片１０２が確実にスリット１００にロックされ、外側の端部５０ｂを含む部分がないため、開封する時につまむ部分がなく、重ね片４２の端部４２ａ等を引き起こさなければならず、開封しずらくなり、封止の強度がより高くなる。
【００３１】
なお、この発明の包装用箱１０は、折罫線４６，４８間の幅を適宜広げて、連結片４４による天面を形成した台形状の形状に箱体上部を形成しても良い。また、傾斜折罫線３２，３４，８２，８６の下端部が箱体底部近傍に達しているものでも良く、曲線折罫線３６，９０はなくても良く、直線状に形成されていても良い。さらに、この発明は上記実施形態に限定されるものではなく、各側面の大きさや形状、底部の形状等、自由に変更可能である。係止片の形状も変更可能であり、ロック片とスリットの数や位置等も変更可能である。
【符号の説明】
【００３２】
１０  包装用箱
１２  箱体形成片
１４，１６，１８，２０  側面
２２  糊付片
３２，３４，８２，８６  傾斜折罫線
５４，５６，６２，６４  係止折罫線
３３，３５，５５，５７，６８，７０，８４，８８  切込線
３６，９０  曲線折罫線
３７，８７  斜面部
４２  重ね片
５０，５８  係止片
７２  底片
１００  スリット
１０２  ロック片
【図１】
0005982136.tif 000002
【図２】
0005982136.tif 000003
【図３】
0005982136.tif 000004
【図４】
0005982136.tif 000005
【図５】
0005982136.tif 000006